(57)【要約】【課題】アクセス時間を要する記録媒体にファイル形式で録画した情報を迅速に再生可能な録画再生装置を実現する。【解決手段】一連の画像をそれぞれ１つのファイルとして記録媒体例えばディスク４１へ記録する際に、ディスク４１からの再生に十分な経過時間分の量に相当するファイルの先頭部分の情報を各ファイル毎のリーディング画像情報としてランダムアクセス可能な画像メモリ３６に記録し、指定されたファイルの再生時に、メモリ処理部３５を制御して画像メモリ３６に記録したリーディング画像情報３６Ｉの中から該ファイルのリーディング画像情報を再生し、再生終了後、ディスク４１の該ファイルの情報に切り替えて再生する。ディスク４１に切り替えて再生する際、先行するリーディング画像情報の最終画像に引き続く次の画像が記録されているディスク４１の記録位置から再生する。ディスク４１を取り外した際に、画像メモリ３６の記録内容を初期化する。【選択図】        図１
2004350205.tif 000002
【特許請求の範囲】
【請求項１】
連続して入力されてくる画像情報を単位にして、それぞれ１つのファイルとして記録媒体に記録し、再生を行なう記録再生手段と、前記画像情報の記録時に、前記ファイルを構成する前記画像情報の先頭から予め定められた経過時間分の画像情報をリーディング画像情報としてランダムアクセス可能なメモリ手段に記録するメモリ処理手段とを備え、前記画像情報の再生時に、前記メモリ処理手段を制御することにより、前記メモリ手段から前記リーディング画像情報を読み出して再生することを特徴とする録画再生装置。
【請求項２】
請求項１に記載の録画再生装置において、１つの前記ファイルとして記録される画像情報として、録画開始時点から録画停止時点までの期間に記録される画像情報を用いることを特徴とする録画再生装置。
【請求項３】
請求項１又は２に記載の録画再生装置において、画像情報を前記ファイルとして記録するファイル形式として、ＯＳＴＡ（Ｏｐｔｉｃａｌ    Ｓｔｏｒａｇｅ  Ｔｅｃｈｎｏｌｏｇｙ  Ａｓｓｏｃｉａｔｉｏｎ）策定のＵＤＦ（Ｕｎｉｖｅｒｓａｌ    Ｄｉｓｋ    Ｆｏｒｍａｔ）規格、又は、Ｗｉｎｄｏｗｓ（登録商標）ＯＳのＦＡＴ（Ｆｉｌｅ  Ａｌｌｏｃａｔｉｏｎ  Ｔａｂｌｅｓ）規格に準拠するファイル形式を用いていることを特徴とする録画再生装置。
【請求項４】
請求項１乃至３のいずれかに記載の録画再生装置において、前記記録媒体が、回転機構により回転するディスク上に、光及び／又は磁気情報をヘッドから投射することにより記録情報を記録する記録媒体からなっていることを特徴とする録画再生装置。
【請求項５】
請求項１乃至４のいずれかに記載の録画再生装置において、前記リーディング画像情報のデータ量が、指定されたファイルを前記記録媒体から読み出し再生することができるに十分な予め定められた経過時間分のデータ量であることを特徴とする録画再生装置。
【請求項６】
請求項５に記載の録画再生装置において、前記記録媒体から再生読み出しすることができるに十分な予め定められた前記経過時間として、前記記録媒体が、回転機構により回転するディスク上にヘッドにより光及び／又は磁気情報を投射することにより記録する記録媒体からなっている場合、前記ディスクの停止・回転及び前記ヘッドの所在位置の如何に関わらず、前記記録媒体から読み出し再生することができるに十分な経過時間であることを特徴とする録画再生装置。
【請求項７】
請求項１乃至６のいずれかに記載の録画再生装置において、前記メモリ手段に記録する前記リーディング画像情報として、複数の各ファイル毎のリーディング画像情報を記録することができ、前記画像情報の再生時に、前記メモリ手段に記録されている複数の前記リーディング画像情報の中から指定されたファイルに関する前記リーディング画像情報を選択して読み出して再生することを特徴とする録画再生装置。
【請求項８】
請求項１乃至７のいずれかに記載の録画再生装置において、前記メモリ手段からの前記リーディング画像情報の読み出し再生が終了した後、前記記録媒体の指定されたファイルに関する前記画像情報に時系列的に切り替えて読み出し再生を行なうことを特徴とする録画再生装置。
【請求項９】
請求項８に記載の録画再生装置において、前記リーディング画像情報毎それぞれに対応して、前記メモリ手段に記録されている前記リーディング画像情報に関する記録位置及びサイズと、更に、当該リーディング画像情報に対応する前記ファイルの前記記録媒体上の先頭記録位置とを、少なくとも含む情報を登録しているメモリ管理情報を前記メモリ手段に備えていることを特徴とする録画再生装置。
【請求項１０】
請求項９に記載の録画再生装置において、前記メモリ手段からの前記リーディング画像情報の読み出し再生が終了した際に、前記メモリ管理情報に登録されている前記リーディング画像情報に関する前記サイズと当該リーディング画像情報に対応する前記ファイルの前記記録媒体上の先頭記録位置とに基づいて算出された、前記メモリ手段の前記リーディング画像情報の最終画像情報に引き続く次の画像情報が記録されている前記記録媒体上の記録位置から、時系列的に切り替えて再生読み出しを行なうことを特徴とする録画再生装置。
【請求項１１】
請求項１乃至１０のいずれかに記載の録画再生装置において、前記記録媒体が当該録画再生装置から取り外されて離脱された場合、前記メモリ手段に記録されている記録内容をリセットして初期状態に復旧することを特徴とする録画再生装置。
【請求項１２】
画像を撮影するためのカメラと、該カメラにより撮影された画像を記録媒体に記録し再生する録画再生装置と、該録画再生装置に記録された前記画像を再生して出力する再生出力部とを備えたデジタル撮像機器において、前記録画再生装置が、請求項１乃至１１のいずれかに記載の録画再生装置からなっていることを特徴とするデジタル撮像機器。
【発明の詳細な説明】
【０００１】
【発明の属する技術分野】
本発明は、録画再生装置及びデジタル撮像機器に関し、特に、画像、音声、その他の情報データを、アクセス時間を要する記録媒体、例えば、回転機構によって回転する磁気的及び／又は光学的記録媒体（光学ディスク、光磁気ディスク、磁気ディスク）に記録して再生する録画再生装置及び該録画再生装置を適用したデジタル撮像機器に関する。
【０００２】
【従来の技術】
本発明に関連する従来技術の例として、ＣＣＤカメラで撮影した映像をデジタルデータとして回転体からなるディスクに記録する装置について、特許文献１に示す特開２００１−３５９０３６号公報「デジタルスチルカメラ、記録再生方法及び記録再生装置、並びに記録媒体」がある。図５を用いて、該特許文献１に記載の技術に関し、従来技術の課題部分を重点的に以下に説明する。
【０００３】
図５は、従来の技術における録画再生装置及びデジタル撮像機器の概略構成を示すブロック構成図である。図５に示す録画再生装置１００′は、デジタルカメラなどのデジタル撮像機器２００′に内蔵されており、大きく分けて記録再生すべき画像信号の入出力を行なう記録信号入出力部３０′と、記録信号入出力部３０′から出力される画像信号を回転機構により回転しているディスクに記録する一方、ディスクから読み出した画像信号を再生信号として読み出すディスク記録再生部４０と、当該録画再生装置１００′全体を制御するシステム制御部５０′とから構成されている。
【０００４】
また、デジタル撮像機器２００′は、録画再生装置１００′の他に、画像を撮影してデジタル画像データに変換して録画再生装置１００′に出力する画像信号入力部１０と録画再生装置１００′からの再生信号を画面表示する再生信号表示部２０とを備えている。
【０００５】
画像信号入力部１０は、画像を撮影するＣＣＤ（Ｃｈａｒｇｅ  Ｃｏｕｐｌｅｄ  Ｄｅｖｉｃｅ）カメラ１１、ＣＣＤカメラ１１から出力されるアナログ画像信号の増幅及び信号処理を行なうアンプ１２、アンプ１２から出力されるアナログ画像信号をデジタル画像データに変換するＡ／Ｄ変換器１３とを備えて、デジタル画像データに変換された撮影画像を録画再生装置１００′に対して出力し、また、再生信号表示部２０は、録画再生装置１００′において再生された再生画像信号を表示信号の形式に変換処理する表示信号処理部２１と、表示信号処理部２１から出力される表示信号を液晶パネルなどに画面表示する表示部２２とを備えて、録画再生装置１００′から再生読み出しされた再生画像信号を液晶パネルなどに画面表示する。
【０００６】
また、録画再生装置１００′の記録信号入出力部３０′は、記録時に、画像信号入力部１０のＡ／Ｄ変換器１３から出力されるデジタル画像データを受け取る記録信号入力部３１と、記録信号入力部３１から出力されるデジタル画像データを後述するディスク４１に書込可能なフォーマットの記録信号に変換してヘッド４２に対して出力する記録信号処理部３２と、再生時に、ディスク４１に記録された情報を読み出したヘッド４２からの記録信号を再生画像信号として再生変換する再生信号処理部３３と、再生信号処理部３３から出力される再生画像信号を再生信号表示部２０の表示信号処理部２１に対して出力する再生信号出力部３４とを備えている。
【０００７】
また、ディスク記録再生部４０は、記録信号入出力部３０′の記録信号処理部３２から出力されるデジタル画像データを所定のトラック記録形態の記録情報として記録面上に記録するディスク４１と、記録信号処理部３２から出力されるデジタル画像データに応じて光変調や磁気変調を施してディスク４１上に出力するヘッド４２と、ディスク４１を所定の回転数で回転させ、かつ、後述のディスク制御部４４に対して該回転数に応じたＦＧ（Ｆｒｅｑｕｅｎｃｙ    Ｇｅｎｅｒａｔｏｒ）信号を出力するモータ４３と、モータ４３から出力されるＦＧ信号に基づいて、モータ４３（即ち、ディスク４１）を所定の回転数に制御して回転させるディスク制御部４４とを備えている。
【０００８】
また、システム制御部５０′は、ユーザ入力部（図示していない）からのユーザの指示や、記録信号入出力部３０′の各回路部からの出力、あるいは、ディスク記録再生部４０の各回路部からの出力に基づいて、メモリ５２′に格納されている各種制御プログラムを実行し、当該録画再生装置１００′更にはデジタル撮像機器２００′全体の動作を制御する各種信号を出力するＣＰＵ５１と、各種の制御プログラムやデータあるいは制御プログラムが実行した実行結果を、保存格納している半導体メモリからなるメモリ５２′を備えている。
【０００９】
以上のように構成された従来の技術に基づく録画再生装置１００′及びデジタル撮像機器２００′の動作について、以下に説明する。
デジタル撮像機器２００′の画像信号入力部１０のＣＣＤカメラ１１で撮影されたアナログ画像信号は、アンプ１２によりアナログ信号処理が施され、Ａ／Ｄ変換器１３によりデジタル画像データに変換されて、録画再生装置１００′の記録信号入出力部３０′の記録信号入力部３１に入力される。記録信号入力部３１を介して入力されたデジタル画像データは、記録信号処理部３２により、ディスク記録再生部４０のディスク４１に記録可能なフォーマットの記録信号に変換されてヘッド４２に出力される。一方、ディスク記録再生部４０のディスク制御部４４は、モータ４３から出力されてくるＦＧ信号を監視して、モータ４３即ちディスク４１が所定の回転数で回転するように制御している。かくのごとく所定の回転数で回転している状態で、ヘッド４２は、記録信号処理部３２から出力されてくる記録信号に基づいて光変調及び／又は磁気変調を行なうことにより、ＣＣＤカメラ１１で撮影された画像データを記録情報としてディスク４１に記録する。
【００１０】
また、ディスク４１上に記録されている記録情報は、ヘッド４２により記録再生信号として読み出されて、記録信号入出力部３０′の再生信号処理部３３に出力される。記録再生信号は再生信号処理部３３により再生画像信号として復調されて、再生信号出力部３４を介して再生信号表示部２０の表示信号処理部２１に対して出力されることによって、再生信号を画面表示する再生動作が行なわれる。なお、再生動作としては、表示部２２に画面表示するのみならず、例えば、伝送回線に送信したり、メモリカードなどに出力したり、あるいは、デジタル信号をアナログ信号に変換するＤ／Ａ変換部を介して、テレビモニタ画面に画面表示したりすることも可能である。
【００１１】
ここで、ディスク４１上に記録されている画像情報は、デジタルスチルカメラなどに適用されるＯＳＴＡ（Ｏｐｔｉｃａｌ    Ｓｔｏｒａｇｅ  Ｔｅｃｈｎｏｌｏｇｙ  Ａｓｓｏｃｉａｔｉｏｎ）策定のＵＤＦ（Ｕｎｉｖｅｒｓａｌ    Ｄｉｓｋ    Ｆｏｒｍａｔ）規格に準拠して記録されている場合、連続して入力されてくる一連の画像（シーン）をそれぞれ１つに纏めたファイルの形式で記録され、かつ、ファイルの追加・変更を容易にすると共に、ディスク４１のようにシーケンシャルなアクセス動作の記録媒体であっても、各ファイルに対して擬似的にランダムなアクセスが可能となるようなアドレッシング方式が採用されている。
【００１２】
即ち、各ファイル即ち画像情報をディスク４１に記録する場合、各ファイルの識別を行なうＩＣＢ（Ｉｎｆｏｒｍａｔｉｏｎ    Ｃｏｎｔｒｏｌ  Ｂｌｏｃｋ）即ちファイルエントリ情報４１ａ（ディスク４１上の記録位置、サイズ、属性などを格納する）と、該ファイルエントリ情報４１ａの記録位置を特定するＡＶＤＰ（Ａｎｃｈｏｒ  Ｖｏｌｕｍｅ  Ｄｅｓｃｒｉｐｔｏｒ  Ｐｏｉｎｔｅｒ）、ＶＤＳ（Ｖｏｌｕｍｅ    Ｄｅｓｃｒｉｐｔｏｒ    Ｓｅｑｕｅｎｃｅ）、ＦＳＤＳ（Ｆｉｌｅ  Ｓｅｔ    Ｄｅｓｃｒｉｐｔｏｒ    Ｓｅｑｕｅｎｃｅ）、ＦＩＤ（Ｆｉｌｅ  Ｉｄｅｎｔｉｆｉｅｒ  Ｄｅｓｃｒｉｐｔｏｒ）、ＶＡＴ（Ｖｉｒｔｕａｌ    Ａｌｌｏｃａｔｉｏｎ    Ｔａｂｌｅ）、ＶＡＴ  ＩＣＢなどのいわゆるファイルアドレス情報４１ｂとを、ディスク４１上に各ファイル即ち画像情報と共に記録する。
【００１３】
一方、ディスク４１に記録されている各ファイルにアクセスして再生読み出しを行なう場合、ディスク４１上に記録されているファイルアドレス情報４１ｂを順次索引することにより、所望のファイルに対するファイルエントリ情報４１ａの記録位置を抽出し、抽出されたファイルエントリ情報４１ａに基づいて、場合によっては、更にファイルアドレス情報４１ｂ中のＶＡＴテーブルを参照して、所望のファイルにアクセスして、再生読み出しを行なう。
【００１４】
ここで、ディスク４１上に記録されているファイルエントリ情報４１ａやファイルアドレス情報４１ｂが、現在、ヘッド４２が位置しているディスク４１上の位置と大きく隔たって存在している場合、ファイルエントリ情報４１ａやファイルアドレス情報４１ｂへのアクセスのために多数のシーク動作が発生してしまい、指定された所望のファイルに対するファイルアクセス開始に大幅な遅延を生じてしまう。
【００１５】
前述の特許文献１に示す従来技術においては、ファイルアクセス開始の遅延を減少するための対策として、ディスク４１への最初のアクセス時に、ファイルエントリ情報４１ａ、ファイルアドレス情報４１ｂをディスク４１上から読み込み、システム制御部５０′の高速ランダムアクセス可能なＤＲＡＭ即ちメモリ５２′にも、ファイルエントリ情報５２ａ、ファイルアドレス情報５２ｂとして書き込んで記憶しておくものであり、以降、ディスク４１上のファイルにアクセスする際に、ディスク４１上ではなく、メモリ５２′上のファイルアドレス情報５２ｂ及びファイルエントリ情報５２ａを参照して、指定されたファイルに対するファイルアクセスを行なうことにより、ディスク４１上のファイルの所在位置を抽出するためファイルエントリ情報４１ａ、ファイルアドレス情報４１ｂの読み込み時間を大幅に短縮し、もって、指定された所望のファイルに対するファイルアクセス時間の改善を図っている。
【００１６】
【特許文献１】
特開２００１−３５９０３６号公報（第１０−１２頁）
【００１７】
【発明が解決しようとする課題】
前述した特許文献１に記載の技術においては、ファイルエントリ情報５２ａ、ファイルアドレス情報５２ｂを、システム制御部５０′のＤＲＡＭ即ちメモリ５２′上に記憶し、以降のファイルアクセスに当たって、指定されたファイルに関するディスク４１上の記録位置を特定するまでの時間を短縮するものであった。しかしながら、指定されたファイルのディスク４１上の記録位置を特定するまでの時間は確かに短縮することができるものの、ディスク４１上の記録位置を特定完了した後、指定されたファイルから所望のデータの読み出しを開始するまでの時間は改善されないという問題がある。
【００１８】
特に、電源ＯＦＦからＯＮ、パワーセーブモードからの起動等の場合においては、ディスク４１の回転動作を起動するために、指定されたファイルから所望のデータを読出し開始するまでに、数秒程度も待たされてしまう事態が生じる。
従って、例えば動画像の撮影を行なうデジタルビデオカメラやデジタルスチルカメラなどのデジタル撮像機器２００′において、電源ＯＮ直後あるいはパワーセーブ解除直後に、ディスク４１上から撮影済みの映像データを読み出し開始するまでの待ち時間が長くなってしまい、特許文献１の技術を適用したとしても、結果として、再生信号出力部３４を介して表示部２２に再生画像を画面表示するまでには、従来技術と同様に、相変わらず長い待ち時間を要するという課題を有している。
【００１９】
特に、直前に撮影されてディスク４１に記録された映像データのファイルを再確認のために至急再生したいとの要求は頻繁に生じるものであるが、かかる再確認の操作においても、再生までの待ち時間として長時間を要してしまうということは、録画再生装置１００′更にはデジタル撮像機器２００′の操作性が相変わらず悪いとの印象を拭えない課題を有している。
【００２０】
本発明は、かかる事情に鑑みてなされたものであり、アクセス時間を要する例えばディスクのような記録媒体にファイル形式で記録した各記録情報の先頭部分（例えば、ディスクのような記録媒体においては、ディスクの回転・停止やヘッドの所在位置の如何によらず、指定されたファイルをディスク上から再生することができるに十分な予め定められた経過時間分のデータ量）の画像情報を、それぞれリーディング画像情報として記録保存することができる、高速ランダムアクセス可能な画像メモリ（例えば半導体メモリ）を備えることにより、例えばディスクのようなアクセス時間を要する記録媒体に記録された記録情報を再生する場合であっても、該リーディング画像情報を該画像メモリから再生することにより、迅速な再生を行なうことを可能とすることを目的とするものである。
【００２１】
【課題を解決するための手段】
第１の技術手段は、連続して入力されてくる画像情報を単位にして、それぞれ１つのファイルとして記録媒体に記録し、再生を行なう記録再生手段と、前記画像情報の記録時に、前記ファイルを構成する前記画像情報の先頭から予め定められた経過時間分の画像情報をリーディング画像情報としてランダムアクセス可能なメモリ手段に記録するメモリ処理手段とを備え、前記画像情報の再生時に、前記メモリ処理手段を制御することにより、前記メモリ手段から前記リーディング画像情報を読み出して再生する録画再生装置とすることを特徴とするものである。
【００２２】
第２の技術手段は、前記第１の技術手段に記載の録画再生装置において、１つの前記ファイルとして記録される画像情報として、録画開始時点から録画停止時点までの期間に記録される画像情報を用いる録画再生装置とすることを特徴とするものである。
【００２３】
第３の技術手段は、前記第１又は第２の技術手段に記載の録画再生装置において、画像情報を前記ファイルとして記録するファイル形式として、ＯＳＴＡ（Ｏｐｔｉｃａｌ    Ｓｔｏｒａｇｅ  Ｔｅｃｈｎｏｌｏｇｙ  Ａｓｓｏｃｉａｔｉｏｎ）策定のＵＤＦ（Ｕｎｉｖｅｒｓａｌ    Ｄｉｓｋ    Ｆｏｒｍａｔ）規格、又は、Ｗｉｎｄｏｗｓ（登録商標）ＯＳのＦＡＴ（Ｆｉｌｅ  Ａｌｌｏｃａｔｉｏｎ  Ｔａｂｌｅｓ）規格に準拠するファイル形式を用いている録画再生装置とすることを特徴とするものである。
【００２４】
第４の技術手段は、前記第１乃至第３の技術手段のいずれかに記載の録画再生装置において、前記記録媒体が、回転機構により回転するディスク上に、光及び／又は磁気情報をヘッドから投射することにより記録情報を記録する記録媒体からなっている録画再生装置とすることを特徴とするものである。
【００２５】
第５の技術手段は、前記第１乃至第４の技術手段のいずれかに記載の録画再生装置において、前記リーディング画像情報のデータ量が、指定されたファイルを前記記録媒体から読み出し再生することができるに十分な予め定められた経過時間分のデータ量である録画再生装置とすることを特徴とするものである。
【００２６】
第６の技術手段は、前記第５の技術手段に記載の録画再生装置において、前記記録媒体から再生読み出しすることができるに十分な予め定められた前記経過時間として、前記記録媒体が、回転機構により回転するディスク上にヘッドにより光及び／又は磁気情報を投射することにより記録する記録媒体からなっている場合、前記ディスクの停止・回転及び前記ヘッドの所在位置の如何に関わらず、前記記録媒体から読み出し再生することができるに十分な経過時間である録画再生装置とすることを特徴とするものである。
【００２７】
第７の技術手段は、前記第１乃至第６の技術手段のいずれかに記載の録画再生装置において、前記メモリ手段に記録する前記リーディング画像情報として、複数の各ファイル毎のリーディング画像情報を記録することができ、前記画像情報の再生時に、前記メモリ手段に記録されている複数の前記リーディング画像情報の中から指定されたファイルに関する前記リーディング画像情報を選択して読み出して再生する録画再生装置とすることを特徴とするものである。
【００２８】
第８の技術手段は、前記第１乃至第７の技術手段のいずれかに記載の録画再生装置において、前記メモリ手段からの前記リーディング画像情報の読み出し再生が終了した後、前記記録媒体の指定されたファイルに関する前記画像情報に時系列的に切り替えて読み出し再生を行なう録画再生装置とすることを特徴とするものである。
【００２９】
第９の技術手段は、前記第８の技術手段に記載の録画再生装置において、前記リーディング画像情報毎それぞれに対応して、前記メモリ手段に記録されている前記リーディング画像情報に関する記録位置及びサイズと、更に、当該リーディング画像情報に対応する前記ファイルの前記記録媒体上の先頭記録位置とを、少なくとも含む情報を登録しているメモリ管理情報を前記メモリ手段に備えている録画再生装置とすることを特徴とするものである。
【００３０】
第１０の技術手段は、前記第第９の技術手段に記載の録画再生装置において、前記メモリ手段からの前記リーディング画像情報の読み出し再生が終了した際に、前記メモリ管理情報に登録されている前記リーディング画像情報に関する前記サイズと当該リーディング画像情報に対応する前記ファイルの前記記録媒体上の先頭記録位置とに基づいて算出された、前記メモリ手段の前記リーディング画像情報の最終画像情報に引き続く次の画像情報が記録されている前記記録媒体上の記録位置から、時系列的に切り替えて再生読み出しを行なう録画再生装置とすることを特徴とするものである。
【００３１】
第１１の技術手段は、前記第１乃至第１０の技術手段のいずれかに記載の録画再生装置において、前記記録媒体が当該録画再生装置から取り外されて離脱された場合、前記メモリ手段に記録されている記録内容をリセットして初期状態に復旧する録画再生装置とすることを特徴とするものである。
【００３２】
第１２の技術手段は、画像を撮影するためのカメラと、該カメラにより撮影された画像を記録媒体に記録し再生する録画再生装置と、該録画再生装置に記録された前記画像を再生して出力する再生出力部とを備えたデジタル撮像機器において、前記録画再生装置が、前記第１乃至第１１の技術手段のいずれかに記載の録画再生装置からなっているデジタル撮像機器とすることを特徴とするものである。
【００３３】
【発明の実施の形態】
本発明に係る録画再生装置及びデジタル撮像機器の実施の形態について、以下に図面を参照しながら説明する。図１は、本発明に係る録画再生装置の概略構成の一実施例を示すブロック構成であり、図２は、図１に示す録画再生装置１００を内蔵したデジタル撮像機器の概略構成の一実施例を示すブロック構成図である。図１に示す録画再生装置１００及び図２に示すデジタル撮像機器２００において、記録信号入出力部３０のメモリ処理部３５及び画像メモリ３６（半導体メモリ）及びシステム制御部５０のメモリ５２に記憶されている制御プログラム５２ｐを除く回路部分に関しては、前述した図５と全く同様であり、図５と同一の符号を付して記載しており、また、録画再生装置１００とデジタル撮像機器２００との基本的な録画再生動作についても、前述した図５の説明と同様であるので、ここでの説明は省略する。
【００３４】
図２に示すように、本実施例においては、録画再生装置１００が、デジタル撮像機器２００に内蔵されている場合を例として示しているが、本発明は、かかる場合に限るものではなく、録画再生装置１００を、デジタル撮像機器と独立させて設置し、両者を例えばケーブル接続するように構成しても良いし、あるいは、録画再生装置１００を、例えば、テレビ受像機やＣＡＴＶ機器などに接続又は内蔵するように構成しても良いし、如何なる形態で用いても構わない。
【００３５】
なお、図１の録画再生装置１００において、符号４１に示すディスクは、ＣＤやＤＶＤなどの光ディスクであっても良いし、ＭＯなどの光磁気ディスクであっても良いし、ＨＤＤなどの磁気ディスクであっても良く、更に、場合によっては、ＶＴＲなどの磁気テープであっても良く、大容量の記憶容量を備えることによって、或る程度のアクセス時間を必要とするような記録媒体であれば、如何なる記録媒体であっても構わない。また、符号４２に示すヘッド（光ピックアップも含む）も、ディスク４１や磁気テープなどの記録媒体種別に対応して、回転機構により回転するディスク４１上や走行する磁気テープ上に光及び／又は磁気情報を投射することにより記録情報を記録するものであり、光記録再生用の光ピックアップ、光磁気記録再生用の（磁気ヘッド＋光ピックアップ）、磁気ヘッドのいずれであっても良い。
以下の実施例の説明においては、記録媒体としてディスク４１を用いている場合を例にとって説明することとする。
【００３６】
また、図２のデジタル撮像機器２００において、符号１１に示すカメラは、図５に前述したＣＣＤカメラ１１を用いる代わりに、例えば、ＣＩＳ（Ｃｏｎｔａｃｔ  Ｉｍａｇｅ  Ｓｅｎｓｏｒ）カメラなどのごとく、撮影した画像を電気信号に変換して取り込むものであれば、如何なるものであっても構わない。
【００３７】
図１の録画再生装置１００において、３６は、ディスク記録再生部４０のヘッド４２（磁気ヘッド、光ピックアップ、磁気ヘッド＋光ピックアップのいずれでも良い）からの記録再生信号を所定のデータ形式により記憶する画像メモリであり、３５は、システム制御部５０からの制御に応じて、画像メモリ３６に対して記録再生信号の書き込み及び読み出し処理を行なうメモリ処理部である。
【００３８】
ここで、画像メモリ３６は、高速ランダムアクセスが可能な半導体メモリから構成されており、連続して入力されてくる一連の画像情報を単位として、それぞれ１つのシーンとして、１つのファイルに纏めてファイル形式で記録しているディスク４１上からヘッド４２を介して出力されてくる記録再生信号の中から、各ファイルの先頭部分（即ち、ディスク４１の回転・停止やヘッド４２の所在位置の如何によらず、指定されたファイルをディスク４１上から読み出し再生することができるに十分な予め定められた経過時間分のデータ量）の画像情報を抽出して、リーディング画像情報として、各ファイル毎に記録しているものである。
【００３９】
また、メモリ処理部３５は、画像情報の記録時において、ヘッド４２から出力されてくる記録再生信号のうち前記リーディング画像情報に相当する記録再生信号を各ファイル毎に所定のデータ形式に高速変換して、画像メモリ３６へ書き込み、また、画像情報の再生時において、画像メモリ３６にファイル毎に対応して格納されている前記リーディング画像情報の中から指定されたファイルに対応する前記リーディング画像情報を高速に読み出して、再生信号処理部３３に対して出力する。
【００４０】
なお、図１においては、画像メモリ３６を、システム制御部５０のメモリ５２とは分離して独立に配置する例を示しているが、メモリ処理部３５からのメモリアクセスとＣＰＵ５１からのメモリアクセスとの競合防止機構如何によっては、両者を併合させて設置することとしても良い。また、ディスク４１に記録するファイルは、１つのシーンとして、録画開始時点から録画停止（一時停止も含む）時点までの期間に記録される画像情報であり、ディスク４１に記録するファイルや画像メモリ３６に記録されるリーディング画像情報としては、１乃至複数のファイルやリーディング画像情報から構成されているものである。
【００４１】
次に、図３のメモリ構成図を用いて、ディスク４１上に記録されている記録情報と画像メモリ３６に格納される記録情報即ちリーディング画像情報との対応関係について説明する。図３は、ディスク４１上に記録されている記録情報と画像メモリ３６に格納される記録情報即ちリーディング画像情報との対応の一例を模式的に示すメモリ構成図である。
図３に示す記録情報４１Ｉは、図１のディスク４１上の記録情報を示すものであり、ディスク４１上には、一連の連続する画像を１つのシーンとしてそれぞれファイル形式に変換されて、合計３つのシーンがファイルＡ  ４１Ａ、ファイルＢ  ４１Ｂ、ファイルＣ  ４１Ｃとして記録されている状況を示している。ここで、シーンとは、前述したように、例えば図２に示すデジタル撮像機器２００のカメラ１１から取り込んだ画像のディスク４１への録画を開始した以降、カメラ１１からの画像の取り込みを一旦中止してディスク４１への録画動作を一時停止（又は停止）するまでの間のディスク４１上の一連の記録情報を意味しており、１つのシーンを構成する記録情報毎に１つのファイルとして構成されている。
【００４２】
各ファイルの識別情報（記録位置、サイズ、記録内容、記録形式など）を含むファイルの管理情報は、前述の従来技術に説明したように、ファイルエントリ情報４１ａ（例えば、ＵＤＦ規格準拠の場合のＩＣＢ）としてファイル毎にディスク４１上に配置されており、また、各ファイルエントリ情報４１ａのディスク４１上の記録位置などを含むアドレス情報は、ファイルアドレス情報４１ｂ（例えば、ＵＳＢ規格準拠の場合のＡＶＤＰ、ＶＤＳ、ＦＳＤＳ、ＦＩＤ、ＶＡＴ、ＶＡＴ  ＩＣＢに対応する情報）としてディスク４１上の予め定められた場所に格納される。ここで、ファイルエントリ情報４１ａやファイルアドレス情報４１ｂとしては、ＵＤＦ規格に限らず、Ｍｉｃｒｏｓｏｆｔ社のＷｉｎｄｏｗｓ（登録商標）ＯＳが用いるＦＡＴ（Ｆｉｌｅ  Ａｌｌｏｃａｔｉｏｎ  Ｔａｂｌｅｓ）システムに準拠のファイルシステムに対応する管理情報であっても良い。
【００４３】
また、図３に示す３つのファイルＡ  ４１Ａ、ファイルＢ  ４１Ｂ、ファイルＣ４１Ｃを時系列的に示すと、ファイルＡ  ４１Ａが最も古く記録され、ファイルＣ  ４１Ｃが最も新しく記録された記録情報であり、ファイルエントリ情報４１ａやファイルアドレス情報４１ｂにそれぞれのファイル毎に記録登録されている。
また、図３に示す３つのシーンを示すファイルＡ  ４１Ａ、ファイルＢ  ４１Ｂ、ファイルＣ  ４１Ｃのそれぞれの先頭部分（即ち、ディスク４１の回転・停止やヘッド４２の所在位置の如何によらず、指定されたファイルをディスク４１上から読み出し再生することができるに十分な予め定められた経過時間分のデータ量として、高速ランダムアクセス可能な画像メモリ３６に記録するリーディング画像情報）を、各シーンの先頭部分（ブロック）を示すＢｌｏｃｋ  ａ  ４１Ａ１、Ｂｌｏｃｋ  ｂ  ４１Ｂ１、Ｂｌｏｃｋ  ｂ  ４１Ｃ１として示している。
【００４４】
一方、図３に示す記録情報３６Ｉは、図１の画像メモリ３６上の記録情報即ち前記リーディング画像情報を示すものであり、前述したディスク４１上の記録情報４１Ｉである３つのシーンのファイルＡ  ４１Ａ、ファイルＢ  ４１Ｂ、ファイルＣ  ４１Ｃそれぞれの先頭部分であるブロックＢｌｏｃｋ  ａ  ４１Ａ１、Ｂｌｏｃｋ  ｂ  ４１Ｂ１、Ｂｌｏｃｋ  ｃ  ４１Ｃ１を、それぞれＢｌｏｃｋ  ａ（即ちリーディング画像情報Ａ）３６Ａ、Ｂｌｏｃｋ  ｂ（即ちリーディング画像情報Ｂ）３６Ｂ、Ｂｌｏｃｋ  ｃ（即ちリーディング画像情報Ｃ）３６Ｃ、即ち、ファイルＡ  ４１Ａ、ファイルＢ  ４１Ｂ、ファイルＣ  ４１Ｃそれぞれの前記リーディング画像情報として画像メモリ３６に格納している状態を模式的に示している。
【００４５】
ここで、ファイルＡ  ４１Ａ、ファイルＢ  ４１Ｂ、ファイルＣ  ４１Ｃそれぞれのファイルの先頭部分（ブロック）を示すＢｌｏｃｋ  ａ  ４１Ａ１、Ｂｌｏｃｋ  ｂ  ４１Ｂ１、Ｂｌｏｃｋ  ｃ  ４１Ｃ１即ちＢｌｏｃｋ  ａ（即ちリーディング画像情報Ａ）３６Ａ、Ｂｌｏｃｋ  ｂ（即ちリーディング画像情報Ｂ）３６Ｂ、Ｂｌｏｃｋ  ｃ（即ちリーディング画像情報Ｃ）３６Ｃとは、前述したように、録画再生装置１００のディスク４１が回転停止している状態から再生モードに設定してモータ４３により回転動作が開始された際に、ヘッド４２の所在位置如何によらず、ディスク４１の回転開始からディスク４１の回転速度が安定して、ディスク４１上に記録されている記録情報を安定して読み取り可能となるまでの経過時間をｔ秒とした場合、該ｔ秒を十分にカバーする時間ｔ′秒（ここで、ｔ＜ｔ′）に相当する経過時間の間に、定常状態においてディスク４１上から読み出し再生することができる記録情報と等しい情報量を意味している。
【００４６】
なお、ディスク４１上の各ファイル４１Ａ、４１Ｂ、４１Ｃと画像メモリ３６に記録される各リーディング画像情報３６Ａ、３６Ｂ、３６Ｃとの対応を管理するためのメモリ管理情報即ちブロック管理情報３６ａが、画像メモリ３６の予め定められた場所に、各リーディング画像情報毎に対応して格納されており、システム制御部５０からの再生指示に応じて、メモリ処理部３５によりブロック管理情報３６ａが参照されて、指定された所望のファイルに対応するリーディング画像情報を画像メモリ３６から読み出して再生出力することができる。ここで、ブロック管理情報３６ａとしては、各前記リーディング画像情報３６Ａ、３６Ｂ、３６Ｃ毎に、ディスク４１上の対応する各ファイル４１Ａ、４１Ｂ、４１Ｃの先頭記録位置と、画像メモリ３６上の各前記リーディング画像情報３６Ａ、３６Ｂ、３６Ｃの記録位置やサイズを少なくとも含んでいる。
【００４７】
なお、ブロック管理情報３６ａは、場合によっては、ディスク４１上の対応する各ファイル４１Ａ、４１Ｂ、４１Ｃの先頭記録位置の代わりに、ディスク４１上の対応するファイル４１Ａ、４１Ｂ、４１Ｃの再生読み出し開始位置（即ち、（各ファイル４１Ａ、４１Ｂ、４１Ｃのディスク４１上の先頭位置）＋（画像メモリ３６上の当該ファイルに対応するリーディング画像情報３６Ａ、３６Ｂ、３６Ｃのサイズ））を登録するようにしても良い。
【００４８】
画像メモリ３６へのＢｌｏｃｋ  ａ（即ちリーディング画像情報Ａ）３６Ａ、Ｂｌｏｃｋ  ｂ（即ちリーディング画像情報Ｂ）３６Ｂ、Ｂｌｏｃｋ  ｃ（即ちリーディング画像情報Ｃ）３６Ｃの書き込みは、例えば、ディスク４１への最後のシーン即ちファイルＣ  ４１Ｃの最終画像の記録を終了して停止状態に移行した際に直ちに起動される。システム制御部５０は、メモリ５２に格納されている制御プログラム５２ｐのうち再生制御プログラム５２ｐ１の動作により、ディスク記録再生部４０を再生モードに設定して、ファイルエントリ情報４１ａ及びファイルアドレス情報４１ｂを参照しながらディスク４１に記録済みのファイルＡ  ４１Ａ、ファイルＢ  ４１Ｂ、ファイルＣ  ４１Ｃそれぞれの先頭部分（ブロック）であるＢｌｏｃｋ  ａ４１Ａ１、Ｂｌｏｃｋ  ｂ  ４１Ｂ１、Ｂｌｏｃｋ  ｃ  ４１Ｃ１を順次ヘッド４２に読み出して、メモリ処理部３５を介して画像メモリ３６に、各リーディング画像情報３６Ａ、３６Ｂ、３６Ｃとして、ブロック管理情報３６ａと共に順次書き込む。
【００４９】
あるいは、画像メモリ３６へのＢｌｏｃｋ  ａ（即ちリーディング画像情報Ａ）３６Ａ、Ｂｌｏｃｋ  ｂ（即ちリーディング画像情報Ｂ）３６Ｂ、Ｂｌｏｃｋ  ｃ（即ちリーディング画像情報Ｃ）３６Ｃの書き込みを行なう他の手順としては、再生すべき指示が入力されることにより、再生モードに設定して、ファイルエントリ情報４１ａ及びファイルアドレス情報４１ｂを参照しながら指定されたファイルを読み出して再生した際に、再生動作と平行して、それぞれのファイル４１Ａ、４１Ｂ、４１Ｃ毎に対応する先頭部分のブロック４１Ａ１、４１Ｂ１、４１Ｃ１分をそれぞれリーディング画像情報３６Ａ、３６Ｂ、３６Ｃとしてメモリ処理部３５を介して画像メモリ３６にブロック管理情報３６ａと共に書き込んでいくようにしても良い。あるいは、ユーザが指定する任意の時間帯に、ディスク４１に記録済みのファイルＡ  ４１Ａ、ファイルＢ  ４１Ｂ、ファイルＣ  ４１Ｃを読み出してメモリ処理部３５に転送することにより、各ファイルの先頭部分であるブロックＢｌｏｃｋ  ａ  ４１Ａ１、Ｂｌｏｃｋ  ｂ  ４１Ｂ１、Ｂｌｏｃｋ  ｃ  ４１Ｃ１を切り出して、リーディング画像情報３６Ａ、３６Ｂ、３６Ｃとしてメモリ処理部３５を介して画像メモリ３６にブロック管理情報３６ａと共に書き込むこととしても良い。
【００５０】
かくのごとく、画像メモリ３６に各ファイル即ちシーン毎の先頭部分を示すリーディング画像情報３６Ａ、３６Ｂ、３６Ｃが記録された後、録画再生装置１００がパワーセーブ等によりディスク４１の回転動作が停止している状態において、ユーザが、直近に記録したシーン即ちファイルＣ  ４１Ｃのディスク４１上の記録状態を確認するために、直近のファイルＣ  ４１Ｃを再生して画面表示しようとする動作は、極めて自然な操作として頻繁に行なわれる。
【００５１】
従来技術として示した図５の録画再生装置１００′においては、ユーザが再生モードに設定して、かつ、直近に記録したファイルＣ  ４１Ｃの画像を再生しようとした際、システム制御部５０′は、直ちに、ディスク記録再生部４０を再生モードに設定すると共に、ディスク４１を回転させるべくディスク制御部４４に起動指示を出力するが、ディスク４１が安定して回転した状態に到達し、指定された記録位置にヘッド４２を移動させて、ヘッド４２から記録再生信号を出力するまでには数秒の待ち時間が発生してしまう。
【００５２】
しかし、本発明に係る録画再生装置１００においては、システム制御部５０は、メモリ５２に格納されている再生制御プログラム５２ｐ１の動作により、ディスク記録再生部４０を再生モードに設定し、ディスク４１を回転させるべくディスク制御部４４に起動指示を出力するだけではなく、画像メモリ３６上に記録されているバックアップデータ即ち各ファイルの先頭部分を示すリーディング画像情報３６Ａ、３６Ｂ、３６Ｃの中に、再生すべく指定されているファイルＣ  ４１Ｃの先頭部分を示すリーディング画像情報Ｃ  ３６Ｃが存在しているか否かについて、画像メモリ３６上のブロック管理情報３６ａを、メモリ処理部３５を介してメモリ５２に読み出すことにより確認する動作を行なう。
【００５３】
ここで、画像メモリ３６に再生すべきファイルＣ  ４１Ｃの先頭部分を示すリーディング画像情報Ｃ  ３６Ｃが存在している場合には、システム制御部５０は、ブロック管理情報３６ａに格納されている記録位置及びサイズに基づいて、メモリ処理部３５を制御することにより、画像メモリ３６からファイルＣ  ４１Ｃの先頭部分（ブロック）を示すリーディング画像情報Ｃ  ３６Ｃを順次読み出して再生信号処理部３３に対して出力する。再生信号処理部３３は出力されたリーディング画像情報Ｃ  ３６Ｃを再生画像信号に変換して再生信号出力部３６を介して録画再生装置１００の外部に出力し、例えば図２に示す表示信号処理部２１を介して表示部２２に画面表示する。
【００５４】
更に、システム制御部５０は、再生制御プログラム５２ｐ１の動作により、ディスク記録再生部４０を再生モードに設定し、ディスク４１を回転させるべくディスク制御部４４に起動指示を出力するに際し、画像メモリ３６から読み出しているブロック管理情報３６ａを参照して、ファイルＣ  ４１Ｃのディスク４１上の格納位置（仮に、‘１０００００００’Ｈ）と該ファイルＣ  ４１Ｃの先頭部分を示すリーディング画像情報Ｃ  ３６Ｃのサイズ情報（仮に、‘ｆｆｆｆ００’Ｈ）とを読み取り、ディスク４１上から読み出し開始すべき先頭アドレス（前述の場合、‘１０００００００’Ｈ＋‘ｆｆｆｆ００’Ｈ＝‘１０ｆｆｆｆ００’Ｈ）を算出し、算出されたディスク４１上の該先頭アドレスの記録情報から順次再生読み出しを行なうことをディスク記録再生部４０に対して指示する。即ち、指定されたファイルＣ  ４１Ｃに関して、画像メモリ３６からのリーディング画像情報Ｃ  ３６Ｃの再生終了に引き続いて、ディスク４１から時系列的に次に再生出力すべき画像情報の先頭記録位置を、ディスク記録再生部４０のディスク制御部４４に対して指示し、ファイルＣ  ４１Ｃの残りの画像情報については、ディスク４１上から再生読み出しを行なうことを指示する。
【００５５】
而して、画像メモリ３６からファイルＣ  ４１Ｃの先頭部分を示すリーディング画像情報Ｃ  ３６Ｃを読み出して表示部２２に画面表示する動作を終了する時点（即ち、前述したｔ′の経過時点）においては、前述したごとく、ディスク４１は、読み出し可能な定常状態で回転し、かつ、ヘッド４２の所在位置も指定されたファイルＣ  ４１Ｃにおいて継続して次に再生出力すべき画像情報の先頭記録位置のトラック位置まで移動している状態に到達している。
従って、画像メモリ３６からの読み出し動作を終了した時点（ｔ′の経過時点）においては、システム制御部５０は、メモリ制御部３６を制御して、再生信号処理部３３に対して出力すべき記録情報を、画像メモリ３６側からディスク４１側に切り替えることにより、ディスク４１上のファイルＣ  ４１Ｃの次に再生出力すべく計算された先頭記録位置（‘１０ｆｆｆｆ００’Ｈ）以降の画像情報がヘッド４２により順次読み出されて、メモリ処理部３５を介して再生信号処理部３３に対して出力されていく。
【００５６】
以上のごとき動作により、ユーザは、ディスク４１の起動時間（即ち、停止状態から定常回転状態へ到達し、再生すべきトラック位置までヘッド４２が移動するまでの時間）を待つことなく、電源ＯＮの時点から極めて短い時間で、再生画像を表示部２２に画面表示させて確認することができる。
【００５７】
なお、録画再生装置１００において、記録媒体であるディスク４１が録画再生装置１００本体から取り外されて離脱された状態に至った場合には、システム制御部５０は、メモリ処理部３５を制御して、画像メモリ３６のリーディング画像情報に関する記録内容を管理しているブロック管理情報３６ａをリセットして初期状態に復旧させることにより、画像メモリ３６には、何らのブロック（即ち、ファイルの先頭部分を示すリーディング画像情報）も記録されていない状態に復旧する。なお、リセットして初期状態に復旧させる場合、場合によっては、完全な画像情報の消去を実現するために、画像メモリ３６に記録されているリーディング画像情報そのものをも含めて初期状態に復旧させるようにしても良い。
【００５８】
また、画像メモリ３６の記憶容量に制限がある場合は、時系列的に古いシーンとなるファイルに関するブロック（リーディング画像情報）から順次削除して、最新のシーンとなるファイルに関するブロック（リーディング画像情報）を上書き記録させると共に、ブロック管理情報３６ａの登録内容も更新して設定していくことにより、画像メモリ３６の記憶容量を効率的に使用するようにすることも可能である。
【００５９】
次に、本発明に係る録画再生装置１００において、前述したような再生動作を実現する再生制御プログラム５２ｐ１に関する処理の一例を図４に示す処理フローチャートを用いて説明する。ここに、図４は、本発明に係る録画再生装置１００における再生制御プログラム５２ｐ１に関する処理の一例を示す処理フローチャートである。なお、再生制御プログラム５２ｐ１は、前述のごとく、システム制御部５０のメモリ５２に格納されており、ＣＰＵ５１により順次読み出されて実行されるものである。
【００６０】
まず、ユーザから、再生すべきファイルを指定した再生指示がシステム制御部５０に対して入力されると（ステップＳ０１）、システム制御部５０は、再生制御プログラム５２ｐ１を起動して、ディスク記録再生部４０を再生モードに設定し、モータ４３の回転動作を起動する（ステップＳ０２）。次に、システム制御部５０は、再生制御プログラム５２ｐ１の動作により、メモリ処理部３５を介して画像メモリ３６内の所定領域に記憶されているブロック管理情報３６ａをメモリ５２に読み取る（ステップＳ０３）。
【００６１】
読み取られたブロック管理情報３６ａを参照して、ユーザから指定されている再生すべきファイルの先頭部分のブロック（リーディング画像情報）が画像メモリ３６上に格納されているか否かを確認し（ステップＳ０４）、格納されていない場合には（ステップＳ０４のＮＯ）、メモリ処理部３５を制御して、ヘッド４２により読み出されるディスク４１上の記録情報を再生信号処理部３３に転送する状態に設定し、ディスク４１からの記録情報の読み取りが可能な状態に到達するまで待ち合わせる（ステップＳ０５のＮＯ）。ディスク４１から指定されたファイルの読み取りが可能な状態に到達すると（ステップＳ０５のＹＥＳ）、ディスク４１からのファイルエントリ情報４１ａやファイルアドレス情報４１ｂ等の情報を読み出して、指定されたファイルのディスク４１上の先頭位置を特定して、ディスク制御部４４に該先頭位置へのシーク動作を指示することにより、ヘッド４２を指定されたファイルの先頭位置があるトラック位置まで移動し（ステップＳ０６）、ステップＳ１１に移行して、ディスク４１からの再生動作を開始する（ステップＳ１１）。
【００６２】
一方、画像メモリ３６に再生すべきファイルの先頭部分のブロック（リーディング画像情報）が格納されていた場合は（ステップＳ０４のＹＥＳ）、ディスク４１からのファイルエントリ情報４１ａやファイルアドレス情報４１ｂ等の情報の読み出しを待つことなく、直ちに、メモリ処理部３５を制御することにより、画像メモリ３６上に格納されている再生すべきファイルの先頭部分のブロック（リーディング画像情報）を順次読み出して再生信号処理部３３側に出力し、再生動作を開始する（ステップＳ０７）。
【００６３】
更に、システム制御部５０は、メモリ５２に読み出したブロック管理情報３６ａに基づいて画像メモリ３６から再生されるファイルの先頭部分のブロック（リーディング画像情報）のサイズ情報と該ファイルのディスク４１上の先頭記録位置とに基づいて、画像メモリ３６上のブロック（リーディング画像情報）に引き続いて再生すべきディスク４１上のファイルの先頭アドレスを算出して、ディスク記録再生部４０に対して設定する（ステップＳ０８）。
【００６４】
ここで、ディスク記録再生部４０に対して設定する再生すべき先頭アドレスとしては、ステップＳ０８に示すように、画像メモリ３６から再生されるファイルの先頭部分のブロック（リーディング画像情報）に引き続くアドレスを用いる代わりに、再生すべきとして指定されているファイルのディスク４１上の先頭記録位置そのものを用いて設定し直すこととし、ディスク４１上の先頭記録位置から先頭部分のブロック（リーディング画像情報）にある一部の画像情報を繰返して再生し直すようにしても良い。即ち、先頭部分のブロック（リーディング画像情報）を画像メモリ３６から読み出して再生が終了した後、ディスク４１上のファイルの先頭記録位置に切り替えて再生読み出しを行なうことにより、再度、先頭部分のブロック（リーディング画像情報）に関して、ディスク４１上に確実に記録されていることを再確認するようにしても良い。
【００６５】
また、ステップＳ０８において用いられる、ブロック管理情報３６ａに記録すべきリーディング画像情報のサイズ情報としては、前述したように、ディスク４１の回転・停止やヘッド４２の所在位置の如何によらず、指定されたファイルをディスク４１上から安定して再生読み出しすることができるに十分な予め定められた経過時間分のデータ量として設定されるものであるが、処理方法如何によっては、リーディング画像情報のサイズ情報の代わりに、当該リーディング画像情報の先頭アドレスにサイズ情報を加算した最終アドレスを設定することとしても構わない。
【００６６】
次に、システム制御部５０は、再生制御プログラム５２ｐ１の動作により、画像メモリ３６上に格納されている再生すべきファイルの先頭部分のブロック（リーディング画像情報）全てに関する読み出しが完了した時点、即ち、モータ４３（即ちディスク４１）の回転速度が定常状態に到達し、指定されたファイルの引き続いて再生読み出しすべき先頭位置にヘッド４２が移動して、ディスク４１内のファイルの読み出しが十分可能な状態に到達した時点（前記ｔ′到達時点）か否かを判定する（ステップＳ０９）。
【００６７】
ディスク４１内のファイルの読み出しが十分可能な状態に到達したと判定された場合には（ステップＳ０９のＹＥＳ）、システム制御部５０は、メモリ処理部３５を制御して、画像メモリ３６からディスク４１内のファイルの読み出し動作への切り替えを行ない、再生信号処理部３３に出力する再生信号を、画像メモリ３６から再生されていたシーンの最終画面に相当する画像情報から引き続いて、ディスク４１から読み出されたヘッド４２からの記録再生信号に切り替える（ステップＳ１０）。しかる後、ステップＳ１１に移行して、ディスク４１からの再生動作を開始する（ステップＳ１１）。
【００６８】
ここで、ステップＳ０９において、ディスク４１内のファイルの読み出しが十分可能な状態に到達した時点（ｔ′到達時点）に到達しているか否かの判定は、システム制御部５０に経過時間を計測する時計機能を内蔵させることにより該時計機能の経過時間の計測結果に基づいて行なうこととしても良いし、記録信号入出力部３０のメモリ処理部３５によるリーディング画像情報全ての読み出し終了報告を報告させることにより行なうこととしても良いし、ディスク記録再生部４０のディスク制御部４４より再生読み出し可能状態への到達報告を報告させることにより行なうこととしても良いし、更には、かかるそれぞれの条件の組み合わせを用いることとしても良い。
【００６９】
なお、ステップＳ０７の動作において、ディスク４１からのファイルエントリ情報４１ａやファイルアドレス情報４１ｂの情報の読み出しを待つことなくと説明したが、本発明に係る録画再生装置１００においても、図１に示すように、ディスク４１上のファイルエントリ情報４１ａやファイルアドレス情報４１ｂと同一の情報をメモリ５２にファイルエントリ情報５２ａやファイルアドレス情報５２ｂとして格納することも可能であり、ステップＳ０６を経由する場合も含めてステップＳ１１におけるディスク４１からの再生動作を、従来技術で説明した場合と同様に、より迅速に開始させることを可能とすると共に、画像メモリ３６に記録すべき各ファイルの先頭部分のブロック（リーディング画像情報）に関するサイズを低減させて、画像メモリ３６の必要記憶容量を縮小させることも可能である。
【００７０】
また、本発明に係る録画再生装置１００において画像を記録するためのファイル形式としては、前述したごとく、ＯＳＴＡ策定のＵＤＦ規格に準拠したファイルシステムの場合のみに限るものではなく、Ｍｉｃｒｏｓｏｆｔ社のＷｉｎｄｏｗｓ（登録商標）ＯＳのＦＡＴ規格に準拠するファイルシステムであっても良いし、ファイルとして識別可能な形式であれば如何なるファイル形式を採用しても構わない。また、記録媒体として搭載されるディスク４１も、前述のごとく、ＣＤやＤＶＤのごとき光記録媒体であっても良いし、ＭＯのごとき光磁気記録媒体であっても、ＨＤＤのごとき磁気記録媒体であっても、アクセス時間を要するような記録媒体であれば、如何なる記録媒体であっても構わない。
【００７１】
【発明の効果】
前述したように、本発明に係る録画再生装置及びデジタル撮像機器によれば、高速ランダムアクセス可能な画像メモリを備えて、録画するファイルの先頭部分の予め定められたデータ量のリーディング画像情報を切り出して記録することにより、ディスク等のアクセス時間を要する大容量の記録媒体への記録情報の記録が終了して、ディスク等の回転が停止したりして記録媒体へのアクセスが一段落した直後であっても、極めて短時間の間に、アクセス時間を要するディスク等の記録媒体からの再生動作に先立って、前記画像メモリから直近に記録した記録情報など指定された記録情報に関するリーディング画像情報の迅速な再生動作を行なうことが可能であり、録画再生装置及びデジタル撮像機器に関する操作性を大幅に向上させることができる。
【図面の簡単な説明】
【図１】本発明に係る録画再生装置の概略構成の一実施例を示すブロック構成である。
【図２】図１に示す録画再生装置を内蔵したデジタル撮像機器の概略構成の一実施例を示すブロック構成図である。
【図３】ディスク上に記録されている記録情報と画像メモリに格納される記録情報との対応の一例を模式的に示すメモリ構成図である。
【図４】本発明に係る録画再生装置における再生制御プログラムに関する処理の一例を示す処理フローチャートである。
【図５】従来の技術における録画再生装置及びデジタル撮像機器の概略構成を示すブロック構成図である。
【符号の説明】
１０…画像信号入力部、１１…カメラ（ＣＣＤカメラ）、１２…アンプ、１３…Ａ／Ｄ変換器、２０…再生信号表示部、２１…表示信号処理部、２２…表示部、３０，３０′…記録信号入出力部、３１…記録信号入力部、３２…記録信号処理部、３３…再生信号処理部、３４…再生信号出力部、３５…メモリ処理部、３６…画像メモリ、３６Ａ，３６Ｂ，３６Ｃ…Ｂｌｏｃｋ  ａ（リーディング画像情報Ａ），Ｂｌｏｃｋ  ｂ（リーディング画像情報Ｂ），Ｂｌｏｃｋ  ｃ（リーディング画像情報Ｃ）、３６Ｉ…記録情報（リーディング画像情報）、３６ａ…ブロック管理情報、４０…ディスク記録再生部、４１…ディスク、４１Ａ，４１Ｂ，４１Ｃ…ファイルＡ，ファイルＢ，ファイルＣ、４１Ａ１，４１Ｂ１，４１Ｃ１…Ｂｌｏｃｋ  ａ，Ｂｌｏｃｋ  ｂ，Ｂｌｏｃｋ  ｃ、４１Ｉ…記録情報、４１ａ…ファイルエントリ情報、４１ｂ…ファイルアドレス情報、４２…ヘッド、４３…モータ、４４…ディスク制御部、５０，５０′…システム制御部、５１…ＣＰＵ、５２，５２′…メモリ、５２ａ…ファイルエントリ情報、５２ｂ…ファイルアドレス情報、５２ｐ…制御プログラム、５２ｐ１…再生制御プログラム、１２…記録再生可能フラグ、１００，１００′…録画再生装置、２００，２００′…デジタル撮像機器。
【図１】
2004350205.tif 000003
【図２】
2004350205.tif 000004
【図３】
2004350205.tif 000005
【図４】
2004350205.tif 000006
【図５】
2004350205.tif 000007